(57)【要約】【課題】自動読取機能を利用するユーザ及び自動読取機能とは異なる機能を利用するユーザの双方にとって利便性の高い画像処理装置を提供する。【解決手段】画像処理装置において、制御部は、自動読取機能を有効または無効に設定する。自動読取機能が有効に設定されていて且つ自動読取機能が登録されている場合、制御部は、読取待ち画面４５を表示する。読取待ち画面４５には、他機能移行オブジェクト３５，４７が含まれる。読取待ち画面４５が表示されている状態で、被読取媒体が載置部に載置されたことが検知されると、制御部は、登録されている自動読取機能を実行する。読取待ち画面が表示されている状態で、他機能移行オブジェクト３５，４７が選択操作されると、制御部は、自動読取機能とは異なる他の機能を実行する。【選択図】図５
2020167454.tif 000002
【特許請求の範囲】
【請求項１】
被読取媒体が載置される載置部と、
前記載置部に前記被読取媒体が載置されたことを検知する載置検知部と、
前記載置部に載置された前記被読取媒体に記録されている画像を読み取る読取部と、
表示部と、
入力部と、
制御部と、
を備えた画像処理装置であって、
前記制御部は、
自動読取機能を登録する登録処理であって、前記自動読取機能は、前記載置検知部により前記被読取媒体が載置されたことが検知されることに応じて前記読取部に前記被読取媒体の画像を読み取らせる機能を含む、前記登録処理と、
前記自動読取機能を有効または無効に設定する効力設定処理と、
前記自動読取機能が有効に設定されていて且つ前記自動読取機能が登録されている場合に読取待ち画面を前記表示部に表示する読取待ち表示処理であって、前記読取待ち画面は、前記自動読取機能とは別の他機能を実行させるための他機能移行オブジェクトを含む、前記読取待ち表示処理と、
前記読取待ち画面が表示されている状態で前記載置検知部により前記被読取媒体が載置されたことが検知されることに応じて、登録されている前記自動読取機能を実行する自動読取処理と、
前記読取待ち画面が表示されている状態で前記他機能移行オブジェクトが前記入力部を介して選択操作されることに応じて、実行対象の前記他機能を選択させるための他機能選択画面を前記表示部に表示する第１の選択表示処理と、
前記他機能選択画面に対して前記入力部を介して実行対象の前記他機能が選択されることに応じて、その選択された前記他機能を実行する他機能実行処理と、
を実行する画像処理装置。
【請求項２】
請求項１に記載の画像処理装置であって、
前記制御部は、さらに、
前記第１の選択表示処理により前記他機能選択画面が表示された後、画面復帰条件が成立することに応じて、前記表示部に前記読取待ち画面を表示する読取待ち復帰処理、
を実行する画像処理装置。
【請求項３】
請求項２に記載の画像処理装置であって、
前記画面復帰条件は、前記他機能実行処理により前記他機能が実行されること、を含む画像処理装置。
【請求項４】
請求項２または請求項３に記載の画像処理装置であって、
前記他機能選択画面は、前記表示部に前記読取待ち画面を表示させるための復帰要求オブジェクトを含み、
前記画面復帰条件は、前記他機能選択画面が表示されているときに前記復帰要求オブジェクトが前記入力部を介して選択操作されること、を含む画像処理装置。
【請求項５】
請求項２〜請求項４のいずれか１項に記載の画像処理装置であって、
前記画面復帰条件は、前記他機能選択画面が前記表示部に表示された後、前記他機能選択画面に対する前記入力部を介した操作が行われることなく規定時間が経過すること、を含む画像処理装置。
【請求項６】
請求項１〜請求項５のいずれか１項に記載の画像処理装置であって、
前記制御部は、さらに、
前記自動読取機能が有効に設定されていて且つ前記自動読取機能が登録されていない場合に登録待ち画面を前記表示部に表示する登録待ち表示処理であって、前記登録待ち画面は、前記他機能移行オブジェクトおよび前記自動読取機能の登録を受け付けるための登録移行オブジェクトを含む、前記登録待ち表示処理と、
前記登録待ち画面が表示されている状態で前記他機能移行オブジェクトが前記入力部を介して選択操作されることに応じて、前記他機能選択画面を前記表示部に表示する第２の選択表示処理と、
を実行し、
前記制御部は、前記登録待ち画面が表示されている状態で前記登録移行オブジェクトが前記入力部を介して選択操作されることに応じて、前記登録処理を実行する、
画像処理装置。
【請求項７】
請求項１〜請求項６のいずれか１項に記載の画像処理装置であって、
前記制御部は、さらに、
前記他機能選択画面が表示されている間に一時的に前記自動読取機能を無効に設定する一時無効設定処理、
を実行し、
前記他機能選択画面は、前記自動読取機能を利用できない状態であることを示す利用不可メッセージを含む、
画像処理装置。
【請求項８】
請求項１〜請求項７のいずれか１項に記載の画像処理装置であって、
前記載置部は、
前記読取部による画像の読み取りが可能な領域に前記被読取媒体が載置されるように構成された第１の載置部と、
前記第１の載置部とは別に設けられた第２の載置部と、
を備え、
前記画像処理装置は、さらに、前記第２の載置部に載置された前記被読取媒体を前記読取部による画像の読み取りが可能な読取位置へ搬送する搬送部を備え、
前記載置検知部は、
前記第１の載置部に前記被読取媒体が載置されたことを検知する第１の検知部と、
前記第２の載置部に前記被読取媒体が載置されたことを検知する第２の検知部と、
を備え、
前記登録処理により登録可能な前記自動読取機能は、第１の自動読取機能及び第２の自動読取機能を含み、
前記第１の自動読取機能は、前記第１の検知部により前記被読取媒体が前記第１の載置部に載置されたことが検知されることに応じて、前記第１の載置部に載置された前記被読取媒体の画像を前記読取部に読み取らせる機能を含み、
前記第２の自動読取機能は、前記第２の検知部により前記被読取媒体が前記第２の載置部に載置されたことが検知されることに応じて、前記第２の載置部に載置された前記被読取媒体を前記搬送部により前記読取位置へ搬送させ、前記読取位置に搬送された前記被読取媒体の画像を前記読取部に読み取らせる機能を含む、
画像処理装置。
【請求項９】
被読取媒体が載置される載置部と、
前記載置部に載置された前記被読取媒体に記録されている画像を読み取る読取部と、
を備えた画像処理装置で用いられる画像処理方法であって、
自動読取機能を登録する登録ステップであって、前記自動読取機能は、前記載置部に前記被読取媒体が載置されることに応じて前記読取部に前記被読取媒体の画像を読み取らせる機能を含む、前記登録ステップと、
前記自動読取機能を有効または無効に設定する効力設定ステップと、
前記自動読取機能が有効に設定されていて且つ前記自動読取機能が登録されている場合に読取待ち画面を表示する読取待ち表示ステップであって、前記読取待ち画面は、前記自動読取機能とは別の他機能を実行させるための他機能移行オブジェクトを含む、前記読取待ち表示ステップと、
前記読取待ち画面が表示されている状態で前記載置部に前記被読取媒体が載置されることに応じて、登録されている前記自動読取機能を実行する自動読取ステップと、
前記読取待ち画面が表示されている状態で前記他機能移行オブジェクトが選択操作されることに応じて、実行対象の前記他機能を選択させるための他機能選択画面を表示する選択表示ステップと、
前記他機能選択画面に対して実行対象の前記他機能が選択されることに応じて、その選択された前記他機能を実行する他機能実行ステップと、
を有する画像処理方法。
【請求項１０】
被読取媒体が載置される載置部と、
前記載置部に前記被読取媒体が載置されたことを検知する載置検知部と、
前記載置部に載置された前記被読取媒体に記録されている画像を読み取る読取部と、
表示部と、
入力部と、
制御部と、
を備えた画像処理装置における前記制御部が実行可能な画像処理プログラムであって、
前記制御部に、
自動読取機能を登録する登録処理であって、前記自動読取機能は、前記載置検知部により前記被読取媒体が載置されたことが検知されることに応じて前記読取部に前記被読取媒体の画像を読み取らせる機能を含む、前記登録処理と、
前記自動読取機能を有効または無効に設定する効力設定処理と、
前記自動読取機能が有効に設定されていて且つ前記自動読取機能が登録されている場合に読取待ち画面を前記表示部に表示する読取待ち表示処理であって、前記読取待ち画面は、前記自動読取機能とは別の他機能を実行させるための他機能移行オブジェクトを含む、前記読取待ち表示処理と、
前記読取待ち画面が表示されている状態で前記載置検知部により前記被読取媒体が載置されたことが検知されることに応じて、登録されている前記自動読取機能を実行する自動読取処理と、
前記読取待ち画面が表示されている状態で前記他機能移行オブジェクトが前記入力部を介して選択操作されることに応じて、実行対象の前記他機能を選択させるための他機能選択画面を前記表示部に表示する選択表示処理と、
前記他機能選択画面に対して前記入力部を介して実行対象の前記他機能が選択されることに応じて、その選択された前記他機能を実行する他機能実行処理と、
を実行させるための画像処理プログラム。
【発明の詳細な説明】
【技術分野】
【０００１】
本発明は、被読取媒体に形成された画像を読み取る機能を備えた画像処理装置に関する。
【背景技術】
【０００２】
特許文献１には、自動読取機能を備えた画像読取装置が開示されている。自動読取機能は、ユーザによる画像読取開始の指示がなくても、原稿台に原稿が載置されたことを検知したらその載置された原稿の読み取りを行う機能である。
【先行技術文献】
【特許文献】
【０００３】
【特許文献１】特開２０１１−１５１５７０号公報
【発明の概要】
【発明が解決しようとする課題】
【０００４】
自動読取機能を備えた各種の画像処理装置では、一般に、装置のモードが、自動読取機能が有効となる自動読取モードに設定されることによって、自動読取機能が実行される。そして、自動読取モードに設定されている間は、自動読取機能とは異なる他の機能を利用することが困難となる。
【０００５】
自動読取モードに設定されているときに他の機能を利用したい場合、例えば、装置のモードを自動読取モードとは異なるモードに設定することで、他の機能を利用可能となる。しかし、他の機能を利用するために装置のモードを自動読取モードとは異なるモードに設定変更しなければならないことは、他の機能を利用したいユーザにとって面倒である。
【０００６】
しかも、他の機能を利用した後は、自動読取機能を利用するユーザのために装置のモードを再び自動読取モードに戻す必要がある。他の機能を利用したユーザが自動読取モードに戻さなかった場合は、自動読取機能を利用したいユーザが、自動読取モードへの設定変更を強いられる。
【０００７】
本発明は上記課題に鑑みなされたものであり、自動読取機能を利用するユーザ及び自動読取機能とは異なる機能を利用するユーザの双方にとって利便性の高い画像処理装置を提供することを目的とする。
【課題を解決するための手段】
【０００８】
本発明の画像処理装置は、被読取媒体が載置される載置部と、載置検知部と、読取部と、  表示部と、入力部と、制御部とを備える。載置検知部は、載置部に被読取媒体が載置されたことを検知する。読取部は、載置部に載置された被読取媒体に記録されている画像を読み取る。制御部は、登録処理と、効力設定処理と、読取待ち表示処理と、自動読取処理と、第１の選択表示処理と、他機能実行処理と、を実行する。
【０００９】
登録処理は、自動読取機能を登録する処理である。自動読取機能は、載置検知部により被読取媒体が載置されたことが検知されることに応じて読取部にその載置された被読取媒体の画像を読み取らせる機能を含む。
【００１０】
効力設定処理は、自動読取機能を有効または無効に設定する処理である。
読取待ち表示処理は、自動読取機能が有効に設定されていて且つ自動読取機能が登録されている場合に読取待ち画面を表示部に表示する処理である。読取待ち画面は、自動読取機能とは別の他機能を実行させるための他機能移行オブジェクトを含む。
【００１１】
自動読取処理は、読取待ち画面が表示されている状態で載置検知部により被読取媒体が載置されたことが検知されることに応じて、登録されている自動読取機能を実行する処理である。
【００１２】
第１の選択表示処理は、読取待ち画面が表示されている状態で他機能移行オブジェクトが入力部を介して選択操作されることに応じて、実行対象の他機能を選択させるための他機能選択画面を表示部に表示する処理である。
【００１３】
他機能実行処理は、他機能選択画面に対して入力部を介して実行対象の他機能が選択されることに応じて、その選択された他機能を実行する処理である。
このような構成によれば、自動読取機能が有効に設定されると、読取待ち画面が表示され、原稿が原稿載置部に載置されると登録されている自動読取機能を実行する。さらに、読取待ち画面に表示されている他機能移行オブジェクトが選択操作されると、他機能選択画面が表示され、自動読取機能とは異なる他機能を実行させることができる。つまり、自動読取機能が有効に設定された状態でありながら、他機能を実行させることもできる。したがって、自動読取機能を利用するユーザ及び自動読取機能とは異なる機能を利用するユーザの双方にとって利便性の高い画像処理装置を提供することが可能となる。
【図面の簡単な説明】
【００１４】
【図１】実施形態の画像処理装置の構成を示すブロック図である。
【図２】オートスキャン対応機能の有効または無効の設定時の画面遷移例を示す説明図である。
【図３】オートスキャン対応機能が有効に設定されていて且つオートスキャン対応機能が登録されていない場合の画面遷移例の一部を示す説明図である。
【図４】オートスキャン対応機能が有効に設定されていて且つオートスキャン対応機能が登録されていない場合の画面遷移例の他の一部（図３の続き）を示す説明図である。
【図５】オートスキャン対応機能が有効に設定されていて且つオートスキャン対応機能が登録されている場合の画面遷移例を示す説明図である。
【図６】メイン処理のフローチャートの一部である。
【図７】メイン処理のフローチャートの他の一部（図６の続き）である。
【図８】Ｓ３００のＡＳ対応処理の詳細を示すフローチャートである。
【発明を実施するための形態】
【００１５】
以下、本発明の実施形態について、図面を参照しながら説明する。
（１）画像処理装置の構成
図１に示す本実施形態の画像処理装置１０は、例えばスキャン機能、印刷機能、コピー機能、ファクス機能などの、複数の機能を備えている。スキャン機能は、原稿の画像を読み取ってその読み取った画像の画像データを生成する機能である。印刷機能は、シート状の記録用紙へ画像を印刷する機能である。コピー機能は、スキャン機能により読み取った画像を印刷機能により印刷する機能である。ファクス機能は、ファクシミリデータの送受信を行う機能である。
【００１６】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１７】
制御部１１は例えばＣＰＵを備える。記憶部１２は、例えばＲＯＭ、ＲＡＭ、ＮＶＲＡＭ、フラッシュメモリなどの半導体メモリを有する。即ち、本実施形態の画像処理装置１０は、ＣＰＵ及び半導体メモリを含む、マイクロコンピュータを備えている。
【００１８】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００１９】
記憶部１２には、図２〜図５に示す画面を含む各種画面のデータが記憶されている。また、記憶部１２には、図６〜図８に示すメイン処理のプログラム、なども記憶されている。
表示部１３は、各種情報を表示するための表示デバイスを有する。本実施形態の表示部１３は、表示デバイスとしてディスプレイ１３ａを有する。
【００２０】
入力部１４は、各種入力操作を受け付けるための入力用デバイスを有する。本実施形態の入力部１４は、入力用デバイスとしてタッチパネル１４ａを有する。タッチパネル１４ａは、ディスプレイ１３ａにおける、画像が表示される画像表示領域に重畳配置される。
【００２１】
ディスプレイ１３ａの画像表示領域に重畳配置されたタッチパネル１４ａは、画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２２】
なお、タッチパネル１４ａは、指示操作として接触のみ検出可能な構成であってもよいし、近接のみ検出可能な構成であってもよいし、接触及び近接の両方を検出可能な構成であってもよい。
【００２３】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２４】
制御部１１が検出可能な特定の操作には、例えば、タップ操作、フリック操作、ドラッグ操作などが含まれる。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２５】
読取部１５は、イメージセンサを備え、画像が記録された原稿におけるその画像を読み取り、読み取った画像の画像データを生成する。
印刷部１６は、インクジェット技術や電子写真技術の印刷機構を有し、シート状の記録用紙に画像を印刷することが可能である。
【００２６】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２７】
第１通信部１８は、画像処理装置１０を不図示のネットワークに接続するための通信インタフェースである。ネットワークは、例えば有線ＬＡＮであってもよいし、無線ＬＡＮであってもよいし、他の無線通信ネットワークであってもよい。画像処理装置１０は、第１通信部１８を介して、パソコンやスマートフォン、タブレット端末などの各種情報処理装置とデータ通信可能である。また、画像処理装置１０は、第１通信部１８を介してインターネットに接続し、インターネットを介して他の各種サーバや各種情報処理装置などとデータ通信可能である。
【００２８】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２９】
スキャン機能は、基本的には、制御部１１が読取部１５を制御することにより実行される。本実施形態のスキャン機能は、より詳しくは、読取部１５で読み取られた画像であるスキャン画像の処理方法に応じた複数のサブ機能を含む。サブ機能には、例えば、スキャンｔｏＵＳＢメモリ、スキャンｔｏＰＣ、スキャンｔｏＥメール送信、などがある。スキャンｔｏＵＳＢメモリは、スキャン画像のデータであるスキャンデータを、メディアＩ／Ｆ１７に接続されているＵＳＢメモリへ出力してＵＳＢメモリに保存させる機能である。スキャンｔｏＰＣは、スキャンデータを、画像処理装置１０に接続されている他の情報処理装置へ送信する機能である。スキャンｔｏＥメール送信は、スキャンデータを電子メールで送信する機能である。
【００３０】
コピー機能は、基本的には、制御部１１が読取部１５及び印刷部１６を制御することにより実行される。即ち、制御部１１は、読取部１５により原稿の画像を読み取らせること、即ちスキャン機能を実行することにより、スキャンデータを取得する。そして、そのスキャンデータに基づいて印刷部１６に印刷を実行させること、即ち印刷機能を実行することにより、スキャン画像が印刷された記録用紙である印刷物を出力する。
【００３１】
ファクス機能は、ファクスデータを送信するファクス送信機能と、ファクスデータを受信するファクス受信機能とを有する。ファクス送信機能は、読取部１５で読み取られたスキャン画像のスキャンデータを第２通信部１９を介してファクス送信先へ送信する機能である。
【００３２】
画像処理装置１０は、さらに、フラットベッド型の原稿台（以下、「ＦＢ原稿台」と称する）２１と、ＡＤＦ原稿載置部２２と、ＡＤＦ２３と、ＦＢ原稿センサ２６と、ＡＤＦ原稿センサ２７とを備える。「ＦＢ」は「Ｆｌａｔｂｅｄ」の略称である。「ＡＤＦ」は、自動原稿送り装置を意味する「Ａｕｔｏｍａｔｉｃ  Ｄｏｃｕｍｅｎｔ  Ｆｅｅｄｅｒ」の略称である。
【００３３】
ＦＢ原稿台２１には、読取部１５に読み取らせる原稿が載置される。読取部１５は、ＦＢ原稿台２１における特定の読取可能領域内に載置された原稿の画像を読み取ることができる。
【００３４】
ＡＤＦ原稿載置部２２には、読取部１５に読み取らせる原稿が載置される。ＡＤＦ２３は、ＡＤＦ原稿載置部２２に載置された原稿を、特定の読取位置を経て特定の排出位置まで搬送する。読取部１５は、ＡＤＦ２３により搬送される原稿の画像を、その搬送の過程で読取位置にて読み取ることができる。
【００３５】
なお、読取部１５は、同じ１つのイメージセンサで原稿台２１に載置された原稿とＡＤＦ２３により搬送される原稿を読み取り可能であってもよいし、原稿台２１に載置された原稿を読み取るイメージセンサとは別にＡＤＦ２３により搬送される原稿を読み取るイメージセンサを備えていてもよい。
【００３６】
ＦＢ原稿センサ２６は、ＦＢ原稿台２１に原稿が載置されたことを検知する。ＡＤＦ原稿センサ２７は、ＡＤＦ原稿載置部２２に原稿が載置されたことを検知する。
本実施形態の制御部１１は、ユーザによる登録操作に応じてオートスキャン対応機能を登録可能であり、登録されているオートスキャン対応機能を実行可能である。なお、「オートスキャン」のことを、以下、「ＡＳ」と略称する。
【００３７】
ＡＳ対応機能は、読取部１５により原稿を読み取らせる処理を含む特定の機能であって、特に、ＦＢ原稿台２１またはＡＤＦ原稿載置部２２に原稿が載置されたことが検知されることに応じて、その載置された原稿を自動で読取部１５にて読み取り、読み取った画像の画像データを登録内容に応じて処理するように構成された機能である。ユーザは、スキャン機能、コピー機能、ファクス機能などの、読取部１５により原稿を読み取らせる処理を含む各種機能を、ＡＳ対応機能として登録することができる。
【００３８】
ＡＳ対応機能は、ＦＢ原稿台２１に載置された原稿を読み取らせるＦＢ−ＡＳ対応機能と、ＡＤＦ原稿載置部２２に載置された原稿を読み取らせるＡＤＦ−ＡＳ対応機能とを含む。ＡＤＦ−ＡＳ対応機能が登録されている場合、ＡＤＦ原稿載置部２２に原稿が載置されたことがＡＤＦ原稿センサ２７により検知されると、登録されているＡＤＦ−ＡＳ対応機能が開始される。ＦＢ−ＡＳ対応機能が登録されている場合、ＦＢ原稿台２１に原稿が載置されたことがＦＢ原稿センサ２６により検知されると、登録されているＦＢ−ＡＳ対応機能が開始される。
【００３９】
（２）ＡＳ対応機能の有効または無効の設定
画像処理装置１０に電源が投入され、制御部１１が起動すると、制御部１１は、表示部１３に、図２に示す第１待機画面３０を表示する。第１待機画面３０は、ユーザが画像処理装置１０において各種機能を実行させる際の起点となる画面である。
【００４０】
第１待機画面３０には、機能を実行させるための複数の機能ボタンが表示される。図２に示す第１待機画面３０には、複数の機能ボタンとして、ファクスボタン３１、コピーボタン３２及びスキャンボタン３３が例示されている。ファクスボタン３１が選択操作されると、制御部１１は、ファクス機能を実行する。コピーボタン３２が選択操作されると、制御部１１は、コピー機能を実行する。スキャンボタン３３が選択操作されると、制御部１１は、スキャン機能を実行する。選択操作はどのような操作であってもよく、本実施形態では例えばタップである。
【００４１】
第１待機画面３０には、さらに、ショートカットボタン３５が表示される。ショートカットボタン３５が選択操作されると、不図示のショートカット画面が表示される。ショートカット画面には、１つ以上のショートカットアイコンが表示される。ユーザは、ショートカットアイコンに任意のショートカット機能を登録可能である。
【００４２】
ショートカット機能は、特定の機能を特定のパラメータと共に登録しておくことにより、その特定の機能を少ない手数で容易に実行させることが可能な機能である。ユーザは、例えば使用頻度が高い機能などの、特定の機能を、その機能実行時によく用いるパラメータとともにショートカット機能としてショートカットアイコンに登録することができる。ショートカット機能が登録されたショートカットアイコンが選択操作されると、対応するショートカット機能が、登録されたパラメータにて実行される。
【００４３】
第１待機画面３０には、さらに、メニューボタン３４が表示される。メニューボタン３４が選択操作されると、不図示のメニュー画面が表示される。メニュー画面には、画像処理装置１０における各種の設定を受け付けるための、設定項目ごとのボタンが表示されている。そのボタンの中に、ＡＳ対応機能の設定に対応したＡＳ設定ボタンが含まれている。そのＡＳ設定ボタンが選択操作されると、表示部１３に、図２に示すＡＳ設定画面４０が表示される。
【００４４】
ＡＳ設定画面４０は、ＡＳ対応機能を有効または無効に設定するための画面であり、オンボタン４１とオフボタン４２とを含む。オフボタン４２が選択操作されると、ＡＳ対応機能が無効に設定され、表示部１３に第１待機画面３０が表示される。ＡＳ対応機能が無効に設定されると、ＡＳ対応機能が登録されていても、そのＡＳ対応機能は実行されない。即ち、登録されているＡＳ対応機能に対応した載置部に原稿を載置しても原稿の読み取りは自動で行われない。
【００４５】
ＡＳ設定画面４０において、オンボタン４１が選択操作されると、ＡＳ対応機能が有効に設定される。ＡＳ対応機能が有効に設定された場合、後述するように、ＡＳ対応機能がすでに登録されているか否かに応じて、表示される画面が異なる。
【００４６】
（３）ＡＳ対応機能が有効に設定された場合の画面遷移例
（３−１）ＡＳ対応機能が登録されていない場合の画面遷移例
ＡＳ対応機能がまだ登録されていない場合に、ＡＳ設定画面４０でＡＳ対応機能が有効に設定されると、表示部１３に、図３に例示するＡＳ登録待ち画面５５が表示される。ＡＳ登録待ち画面５５は、原稿の読み取りを含む特定の機能をＡＳ対応機能として登録させるための起点となる画面である。
【００４７】
ＡＳ登録待ち画面５５は、機能登録ボタン５６と、他機能使用ボタン４７と、メニューボタン３４と、ショートカットボタン３５とを含む。
機能登録ボタン５６が選択操作されると、表示部１３に、図３に例示する原稿位置選択画面６０が表示される。原稿位置選択画面６０は、これから登録される特定の機能を、ＡＤＦ−ＡＳ対応機能として登録するか、ＦＢ−ＡＳ対応機能として登録するか、それともＡＤＦ−ＡＳ対応機能及びＦＢ−ＡＳ対応機能の両方として登録するか、をユーザに選択させるための画面である。
【００４８】
原稿位置選択画面６０は、ＦＢボタン６１と、ＡＤＦボタン６２と、両方選択ボタン６３とを含む。ＦＢボタン６１が選択操作されると、これから登録される特定の機能がＦＢ−ＡＳ対応機能として登録される。ＡＤＦボタン６２が選択操作されると、これから登録される特定の機能がＡＤＦ−ＡＳ対応機能として登録される。両方選択ボタン６３が選択操作されると、これから登録される特定の機能がＦＢ−ＡＳ対応機能およびＡＤＦ−ＡＳ対応機能の両方として登録される。原稿位置選択画面６０においていずれかのボタンが選択操作されると、表示部１３に、図４に例示する機能選択画面６５が表示される。
【００４９】
機能選択画面６５は、ＡＳ対応機能として登録する機能を選択させるための画面である。機能選択画面６５には、登録可能な複数の機能のそれぞれに対応した複数のボタンが表示される。本実施形態では、コピー機能に対応したコピーボタン６６と、ファクス機能に対応したファクスボタン６７と、スキャン機能に対応したスキャンボタン６８とが表示される。いずれかのボタンが選択操作されると、その選択操作されたボタンに対応した機能の機能設定画面（不図示）が表示される。ユーザは、その機能設定画面において、選択した機能の実行時に用いられる各種設定項目の設定値を設定することができる。機能設定画面において設定値の設定が完了すると、表示部１３に、図４に例示する登録情報確認画面７０が表示される。
【００５０】
登録情報確認画面７０には、登録情報７１と、ＯＫボタン７２とが表示される。登録情報７１は、機能設定画面で設定された各種設定項目の設定値を示す。図４に例示する登録情報確認画面７０は、コピー機能が選択されていてそのコピー機能における各種設定項目の設定値が登録情報７１として表示されている例を示している。ＯＫボタン７２が選択操作されると、ＡＳ対応機能としての登録名をユーザに入力させるための不図示の名称登録画面が表示され、登録名が入力されると、ＡＳ対応機能が登録され、図４に例示するＡＳ実行待ち画面４５が表示される。
【００５１】
即ち、機能選択画面６５で選択した機能を、機能設定画面で設定された各設定値を用いて実行するように構成された、ＡＳ対応機能が登録される。その際、図３の原稿位置選択画面６０で選択されたボタンに応じて、ＡＤＦ−ＡＳ対応機能として、ＦＢ−ＡＳ対応機能として、またはこれら両方として、登録される。
【００５２】
ＡＳ実行待ち画面４５が表示されると、登録されているＡＳ対応機能を実行させることが可能となる。
図３のＡＳ登録待ち画面５５が表示されている状態で、他機能使用ボタン４７が選択操作されると、ＡＳ対応機能が一時的に無効に設定され、表示部１３に、図３に例示する第２待機画面３６が表示される。第２待機画面３６は、一部を除き、図２に例示した第１待機画面３０と同じである。第２待機画面３６が第１待機画面３０と異なるのは、図３に例示するように、ＡＳ一時オフ情報バー３７を含むことである。
【００５３】
ＡＳ一時オフ情報バー３７には、ＡＳ対応機能が一時的に無効に設定されたことを示すメッセージ、即ち、ＡＳ対応機能が一時的に利用できない状態になっていることを示すメッセージが表示される。
【００５４】
第２待機画面３６が表示されている状態では、ユーザは、ＡＳ対応機能とは異なる各種機能を実行させることができる。例えば、ファクスアイコン３１、コピーアイコン３２またはスキャンアイコン３３を選択操作することで、対応する機能を実行させることができる。また例えば、ショートカットボタン３５を選択操作することで、ショートカット機能を登録したり、登録されているショートカット機能を実行させたりすることができる。
【００５５】
ＡＳ登録待ち画面５５から第２待機画面３６に遷移した後、画面復帰条件が成立した場合は、ＡＳ登録待ち画面５５に戻る。画面復帰条件は、本実施形態では、下記の条件Ａ〜Ｃのいずれかが成立することである。
条件Ａ：ＡＳ対応機能以外の他の機能が実行されること。例えば、ファクスアイコン３１、コピーアイコン３２、スキャンアイコン３３またはショートカットボタン３５が選択操作されることに応じて対応する機能が実行されること。
条件Ｂ：ＡＳ一時オフ情報バー３７が選択操作されること。
条件Ｃ：タイムアウトが発生すること。具体的には、第２待機画面３６が表示された後、第２待機画面３６に対する入力部１４を介したユーザの入力操作が行われることなく規定時間が経過すること。
【００５６】
条件Ａ〜条件Ｃのいずれか１つが成立すると、表示部１３に表示される画面は、ＡＳ登録待ち画面５５に戻る。
（３−２）ＡＳ対応機能が登録されている場合の画面遷移例
ＡＳ対応機能がすでに登録されている場合に、ＡＳ設定画面４０でＡＳ対応機能が有効に設定されると、表示部１３に、図５に例示するＡＳ実行待ち画面４５が表示される。なお、図４を用いて説明したように、ＡＳ対応機能が新規に登録された場合も、ＡＳ実行待ち画面４５が表示される。
【００５７】
ＡＳ実行待ち画面４５は、登録内容編集ボタン４６と、他機能使用ボタン４７と、メニューボタン３４と、ショートカットボタン３５とを含む。
登録内容編集ボタン４６が選択操作されると、登録されているＡＳ対応機能の登録内容をユーザに編集させるための処理が行われ、その処理の内容に応じて画面が遷移する。例えば、図３に例示した原稿位置選択画面６０が表示され、新規登録時と同様の流れで画面が遷移することにより、既登録の各種設定値が、その画面遷移の過程で設定された各種設定値に変更される。
【００５８】
ＡＳ実行待ち画面４５が表示されている状態で、登録されているＡＳ対応機能に対応した載置部（即ち、ＦＢ原稿台２１またはＡＤＦ原稿載置部２２）に原稿が載置されたことが検知されると、そのＡＳ対応機能が実行される。ＡＳ対応機能の実行中は、ＡＳ対応機能を実行中であることを示す画面が表示される。
【００５９】
例えば、ＦＢ−ＡＳ対応機能が登録されている場合に、ＦＢ原稿台２１に原稿が載置されたことがＦＢ原稿センサ２６により検知されると、そのＦＢ−ＡＳ対応機能が開始される。即ち、まず読取部１５により、ＦＢ原稿台２１に載置されている原稿の画像が読み取られる。そして、原稿の読み取り後、登録されている内容に応じた処理が行われる。例えば、コピー機能がＦＢ−ＡＳ対応機能として登録されている場合は、原稿読み取り後にその読み取った画像が印刷部１６により印刷される。また、コピー機能がＦＢ−ＡＳ対応機能として登録されている場合、そのＦＢ−ＡＳ対応機能の実行中は、図５に例示するように、コピー機能が実行されていることを示すコピー中画面５０が表示される。
【００６０】
また例えば、ＡＤＦ−ＡＳ対応機能が登録されている場合に、ＡＤＦ原稿載置部２２に原稿が載置されたことがＡＤＦ原稿センサ２７により検知されると、そのＡＤＦ−ＡＳ対応機能が開始される。即ち、まず、ＡＤＦ原稿載置部２２に載置されている原稿が、ＡＤＦ２３により搬送される。そして、その搬送されている原稿の画像が、読取部１５により読み取られる。そして、原稿の読み取り後、登録されている内容に応じた処理が行われる。例えば、ファクス機能がＡＤＦ−ＡＳ対応機能として登録されている場合は、原稿読み取り後にその読み取った画像を示すファクス送信データが第２通信部１９を介して送信される。
【００６１】
なお、ＡＳ対応機能が実行される場合、原稿の読み取りは自動で行われるが、原稿読み取り後の処理については、引き続き自動で行われてもよいし、ユーザによる入力操作が要求されてもよい。
【００６２】
ＡＳ実行待ち画面４５が表示されている状態で、他機能使用ボタン４７が選択操作されると、ＡＳ対応機能が一時的に無効に設定され、表示部１３に、図５に例示する第２待機画面３６が表示される。
【００６３】
ここで表示される第２待機画面３６は、ＡＳ登録待ち画面５５における他機能使用ボタン４７が選択操作された場合に表示される第２待機画面３６（図３参照）と同じである。よって、第２待機画面３６が表示されている状態では、ユーザは、ＡＳ対応機能とは異なる各種機能を実行させることができる。また、ＡＳ実行待ち画面４５から第２待機画面３６に遷移した後、前述の画面復帰条件が成立した場合は、ＡＳ実行待ち画面４５に戻る。
【００６４】
（４）メイン処理
制御部１１が実行するメイン処理について、図６〜図８を参照して説明する。制御部１１は、起動すると、記憶部１２に記憶されているメイン処理のプログラムを読み込んで実行する。図２〜図５に例示した各種の画面遷移は、制御部１１がメイン処理を実行することによって実現される。
【００６５】
制御部１１は、メイン処理を開始すると、Ｓ１１０で、ＡＳ対応機能が有効に設定されているか否か判断する。ＡＳ対応機能が無効に設定されている場合は、Ｓ１２０で、表示部１３に第１待機画面３０を表示する。Ｓ１３０では、イベント対応処理を実行する。具体的には、第１待機画面３０に対するユーザによる各種の選択操作に対応した処理、あるいは外部からの各種入力に応じた処理を実行する。
【００６６】
Ｓ１３０のイベント処理には、図２を用いて説明した、ＡＳ設定画面４０を表示してユーザ操作に応じてＡＳ対応機能を有効または無効に設定する処理が含まれる。Ｓ１３０の処理後は、Ｓ１１０に移行する。
【００６７】
Ｓ１１０で、ＡＳ対応機能が有効に設定されている場合は、Ｓ１４０に移行する。Ｓ１４０では、ＡＳ対応機能がすでに登録済みであるか否か判断する。ＡＳ対応機能がまだ登録されていない場合は、Ｓ３１０で、表示部１３にＡＳ登録待ち画面５５を表示して、Ｓ３２０（図７参照）に移行する。
【００６８】
Ｓ３２０では、ＡＳ登録待ち画面５５における他機能使用ボタン４７が選択操作されたか否か判断する。他機能使用ボタン４７が選択操作された場合は、ＡＳ対応機能を一時的に無効に設定して、Ｓ１８０（図６参照）に移行する。
【００６９】
Ｓ１８０では、表示部１３に第２待機画面３６を表示する。Ｓ１９０では、第２待機画面３６におけるＡＳ一時オフ情報バー３７が選択操作されたか否か判断する。このＳ１９０は、前述の条件Ｂを判断する処理である。ＡＳ一時オフ情報バー３７が選択操作された場合は、ＡＳ対応機能を有効に戻して、Ｓ１４０に移行する。ＡＳ一時オフ情報バー３７が選択操作されていない場合は、Ｓ２００に移行する。
【００７０】
Ｓ２００では、いずれかの機能が選択操作されたか否か判断する。具体的には、例えば、ファクスアイコン３１、コピーアイコン３２、スキャンアイコン３３またはショートカットボタン３５が選択操作されたか否かを判断する。このＳ２００は、前述の条件Ａを判断する処理である。いずれかの機能が選択操作された場合は、Ｓ２１０で、その選択操作された機能を実行する。そして、機能実行後は、ＡＳ対応機能を有効に戻して、Ｓ１４０に移行する。Ｓ２００で、何れの機能も選択操作されない場合は、Ｓ２２０に移行する。
【００７１】
Ｓ２２０では、前述のタイムアウトが発生したか否か、即ち前述の条件Ｃが成立したか否か判断する。タイムアウトが発生していない場合はＳ１９０に移行する。タイムアウトが発生した場合は、ＡＳ対応機能を有効に戻して、Ｓ１４０に移行する。
【００７２】
図７のＳ３２０に戻って説明する。Ｓ３２０で、ＡＳ登録待ち画面５５において他機能使用ボタン４７が選択操作されていない場合は、Ｓ３３０に移行する。Ｓ３３０では、ショートカットボタン３５が選択操作されたか否か判断する。ショートカットボタン３５が選択操作された場合は、Ｓ３４０で、不図示のショートカット画面を表示する。Ｓ３５０では、ショートカット画面に対するユーザによるショートカット機能の選択操作を受け付ける。Ｓ３６０では、Ｓ３５０で選択されたショートカット機能を実行する。ショートカット機能の実行後は、Ｓ１４０（図６参照）に移行する。
【００７３】
Ｓ３３０で、ショートカットボタン３５が選択操作されていない場合は、Ｓ３７０に移行する。Ｓ３７０では、機能登録ボタン５６が選択操作されたか否か判断する。機能登録ボタン５６が選択操作されていない場合は、Ｓ３２０に移行する。機能登録ボタン５６が選択操作された場合は、Ｓ３８０に移行する。Ｓ３８０では、ＡＳ対応機能登録処理を実行する。具体的には、まず原稿位置選択画面６０を表示する。そして、図３〜図４に例示したように、ユーザ操作に応じて、各種設定を行いつつ画面を遷移させていくことで、ＡＳ対応機能を登録する。ＡＳ対応機能の登録後は、Ｓ１４０（図６参照）に移行する。
【００７４】
Ｓ１４０で、ＡＳ対応機能がすでに登録されている場合は、Ｓ１５０に移行する。Ｓ１５０では、登録されているＡＳ対応機能の情報を取得する。具体的には、例えば、ＦＢ−ＡＳ対応機能およびＡＤＦ−ＡＳ対応機能のどちらが登録されているかを取得する。なお、その他の情報を取得してもよい。
【００７５】
Ｓ１６０では、表示部１３にＡＳ実行待ち画面４５を表示する。Ｓ１７０では、ＡＳ実行待ち画面４５における他機能使用ボタン４７が選択操作されたか否か判断する。他機能使用ボタン４７が選択操作された場合は、ＡＳ対応機能を一時的に無効に設定して、Ｓ１８０に移行する。他機能使用ボタン４７が選択操作されていない場合は、Ｓ２３０に移行する。
【００７６】
Ｓ２３０では、ショートカットボタン３５が選択操作されたか否か判断する。ショートカットボタン３５が選択操作された場合は、Ｓ２４０で、不図示のショートカット画面を表示する。Ｓ２５０では、ショートカット画面に対するユーザによるショートカット機能の選択操作を受け付ける。Ｓ２６０では、Ｓ２５０で選択されたショートカット機能を実行する。ショートカット機能の実行後は、Ｓ１４０に移行する。
【００７７】
Ｓ２３０で、ショートカットボタン３５が選択操作されていない場合は、Ｓ２７０に移行する。Ｓ２７０では、登録内容編集ボタン４６が選択操作されたか否か判断する。登録内容編集ボタン４６が選択操作された場合は、Ｓ２８０に移行する。Ｓ２８０では、登録機能編集処理を行う。即ち、前述の通り、登録されているＡＳ対応機能の登録内容をユーザに編集させるための処理を行うことにより、ユーザ操作に応じて登録内容を編集（例えば各種設定値を変更等）する。登録機能編集処理の実行後は、Ｓ１４０に移行する。
【００７８】
Ｓ２７０で、登録内容編集ボタン４６が選択操作されていない場合は、Ｓ２９０に移行する。Ｓ２９０では、ＦＢ原稿センサ２６およびＡＤＦ原稿センサ２７からの検知信号に基づき、ＦＢ原稿台２１またはＡＤＦ原稿載置部２２に原稿がセット（即ち載置）されたか否かを判断する。いずれにも原稿がセットされていない場合は、Ｓ１７０に移行する。ずれかに原稿がセットされた場合は、Ｓ３００で、ＡＳ対応処理を実行する。ＡＳ対応処理の詳細は、図８に示す通りである。
【００７９】
ＡＳ対応処理に移行すると、Ｓ４１０で、原稿がセットされた部位（即ちＦＢ原稿台２１またはＡＤＦ原稿載置部２２）に対応したＡＳ対応機能が登録されているか否かを判断する。例えば、ＦＢ原稿台２１に原稿がセットされたことが検知された場合は、ＦＢ−ＡＳ対応機能が登録されているか否か判断する。また例えば、ＡＤＦ原稿載置部２２に原稿がセットされたことが検知された場合は、ＡＤＦ−ＡＳ対応機能が登録されているか否か判断する。
【００８０】
原稿セット部位に対応したＡＳ対応機能が登録されていない場合は、ＡＳ対応機能を実行することなくＳ１４０（図６参照）に移行する。原稿セット部位に対応したＡＳ対応機能が登録されている場合は、Ｓ４２０に移行する。Ｓ４２０では、登録されているＡＳ対応機能の情報を取得する。具体的には、ＡＳ対応機能として登録されている機能の各種設定値等を取得する。
【００８１】
Ｓ４３０では、Ｓ４２０で取得した情報に基づいて、登録されているＡＳ対応機能を実行する。即ち、まず原稿の画像を読取部１５にて読み取る。そして、読み取ったスキャン画像のスキャンデータを、登録されている機能に応じて処理する。ＡＳ対応機能の実行後は、Ｓ１４０（図６参照）に移行する。
【００８２】
（５）実施形態の効果
以上説明した実施形態によれば、以下の効果を奏する。
即ち、本実施形態の画像処理装置１０では、ＡＳ対応機能が有効に設定されると、ＡＳ対応機能を実行可能となるが、他の機能を実行することもできる。具体的には、ＡＳ対応機能が登録されている状態でＡＳ対応機能が有効に設定されると、図５に例示したＡＳ実行待ち画面４５が表示される。この状態で、ユーザは、原稿をセットすることにより登録されているＡＳ対応機能を実行させることができる一方で、他機能使用ボタン４７あるいはショートカットボタン３５を選択操作することによって、登録されているＡＳ対応機能とは異なる他の機能を実行させることもできる。また、ＡＳ対応機能が登録されていない状態でＡＳ対応機能が有効に設定されると、図３に例示したＡＳ登録待ち画面５５が表示される。この状態で、ユーザは、ＡＳ対応機能の新規登録に進むことができる一方で、他機能使用ボタン４７あるいはショートカットボタン３５を選択操作することによって、ＡＳ対応機能とは異なる他の機能を実行させることができる。
【００８３】
つまり、ＡＳ対応機能が有効に設定された状態でありながら、他機能を実行させることもできる。したがって、ＡＳ対応機能を利用するユーザ及びＡＳ対応機能とは異なる機能を利用するユーザの双方にとって利便性の高い画像処理装置１０を提供することが可能となる。
【００８４】
なお、ＡＳ対応機能は自動読取機能の一例に相当する。ＦＢ原稿台２１は第１の載置部の一例に相当し、ＡＤＦ原稿載置部２２は第２の載置部の一例に相当する。ＦＢ原稿台２１およびＡＤＦ原稿載置部２２に載置される原稿は被読取媒体の一例に相当する。ＡＤＦ２３は搬送部の一例に相当する。ＦＢ原稿センサ２６およびＡＤＦ原稿センサ２７は載置検知部の一例に相当し、ＦＢ原稿センサ２６は特に第１の検知部の一例に相当し、ＡＤＦ原稿センサ２７は特に第２の検知部の一例に相当する。ＡＳ実行待ち画面４５は読取待ち画面の一例に相当する。ＡＳ登録待ち画面５５は登録待ち画面の一例に相当する。ＡＳ実行待ち画面４５およびＡＳ登録待ち画面５５に表示される他機能使用ボタン４７およびショートカットボタン３５は他機能移行オブジェクトの一例に相当する。ＡＳ登録待ち画面５５に表示される機能登録ボタン５６は登録移行オブジェクトの一例に相当する。第２待機画面３６は他機能選択画面の一例に相当する。第２待機画面３６に表示されるＡＳ一時オフ情報バー３７は、復帰要求オブジェクトおよび利用不可メッセージの一例に相当する。
【００８５】
また、本実施形態において、Ｓ１３０の処理は効力設定処理の一例に相当する。Ｓ１６０の処理は読取待ち表示処理および読取待ち復帰処理の一例に相当する。Ｓ１８０の処理は、第１の選択表示処理、第２の選択表示処理および一時無効設定処理の一例にする。Ｓ２１０の処理は他機能実行処理の一例に相当する。Ｓ３００の処理は自動読取処理の一例に相当する。Ｓ３１０の処理は登録待ち表示処理の一例に相当する。Ｓ３８０の処理は登録処理の一例に相当する。
【００８６】
（６）他の実施形態
以上、本発明の実施形態について説明したが、本発明は上述の実施形態に限定されることなく、種々変形して実施することができる。
【００８７】
（６−１）ＡＳ実行待ち画面４５及びＡＳ登録待ち画面５５に、ショートカットボタン３５とは別に、ＡＳ対応機能以外の機能の選択操作を受け付けるボタン等があってもよい。例えば、ファクスボタン３１，コピーボタン３２およびスキャンボタン３３、あるいはこれらに類するボタンが表示されてもよい。
【００８８】
（６−２）ＡＳ実行待ち画面４５及びＡＳ登録待ち画面５５において他機能使用ボタン４７が選択操作された場合、ＡＳ対応機能を一時無効にせず、有効に設定したまま、ＡＳ対応機能以外の他の機能の選択操作を受け付けて実行してもよい。
【００８９】
（６−３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００９０】
１０…画像処理装置、１１…制御部、１２…記憶部、１３…表示部、１４…入力部、１５…読取部、１６…印刷部、２１…ＦＢ原稿台、２２…ＡＤＦ原稿載置部、２３…ＡＤＦ、２６…ＦＢ原稿センサ、２７…ＡＤＦ原稿センサ、３０…第１待機画面、３５…ショートカットボタン、３６…第２待機画面、３７…一時オフ情報バー、４０…ＡＳ設定画面、４５…ＡＳ実行待ち画面、４７…他機能使用ボタン、５５…ＡＳ登録待ち画面、５６…機能登録ボタン、６０…原稿位置選択画面、６５…機能選択画面、７０…登録情報確認画面。
【図１】
2020167454.tif 000003
【図２】
2020167454.tif 000004
【図３】
2020167454.tif 000005
【図４】
2020167454.tif 000006
【図５】
2020167454.tif 000007
【図６】
2020167454.tif 000008
【図７】
2020167454.tif 000009
【図８】
2020167454.tif 000010